(57)【特許請求の範囲】
【請求項１】
筐体に形成され、前記筐体の内部に備えられた端子が露出された断面円形状の露出孔と、
前記筐体の外部に形成され、前記露出孔と同じ内径を有する有底の凹孔と、
前記露出孔をよけるとともに、前記凹孔を隠すように前記筐体外面に接着されるラベルとを有し、
前記露出孔及び前記凹孔が上下左右に隣り合う前記露出孔又は前記凹孔と等距離をなすように配列されたラベル取付構造であって、
前記凹孔は底面より突出されるとともに前記凹孔の内周壁と連結された２本の直方体が凹孔の中心で直交する形状を有し、上面が前記ラベルが貼り付けられる面と同一面が形成され、交差リブを有し、
前記凹孔同士が隣り合うように形成されている場合、前記上下左右又は斜めに隣り合う交差リブの立体が一直線上に配置されないように形成されていることを特徴とするラベル取付構造。
【請求項２】
前記交差リブは上下左右方向に伸びる直方体が前記凹孔の中心で直交する十字状リブと、
斜め方向に伸びる直方体が前記凹孔の中心で直交するＸ字状リブとを有しており、
前記十字状リブ及び前記Ｘ字状リブが形成された凹孔が交互に配置されている請求項１に記載のラベル取付構造。
【請求項３】
前記露出孔及び前記凹孔の配列のうち、角部に配置された前記凹孔がある場合、
前記角部に配置された前記凹孔は、前記Ｘ字状リブを備えている請求項２に記載のラベル取付構造。
【請求項４】
前記露出孔及び前記凹孔の配列が、前記凹孔が偶数個並んで配置されている場合、中央部の２個の凹孔は、十字状リブとＸ字状リブの間の形状になるように回転されたクロス形状を有する交差リブを備えている請求項３に記載のラベル取付構造。
【請求項５】
請求項１から請求項４のいずれかに記載のラベル取付構造を備えた薄型モニタ装置。
【発明の詳細な説明】
【技術分野】
【０００１】
本発明は、薄型モニタ装置等の映像機器の端子取り付け部にラベルを正確に貼り付けるためのラベル取付構造に関する。
【背景技術】
【０００２】
従来、一般に、ＴＶ受像機やＤＶＤレコーダ等の映像機器の背面には、映像信号及び音声信号を入出力するための端子が複数個備えられている。前記映像機器の外装は前記端子が内部より外部に露出される端子孔が形成されている。前記端子孔の周りにはラベルが貼付されており、前記ラベルの表面には前記端子の種類（たとえば、映像信号入力／出力、音声信号入力／出力等）が表示されている。前記ラベルが貼付されていることで、使用者が前記映像機器同士をケーブル及び前記端子を用いて接続するときに、接続ミスしてしまうのを抑制することができる。
【０００３】
前記映像機器では、使用目的やグレードによって装備されている端子の種類及び（又は）個数が異なる場合がある。使用目的や使用グレードが異なる映像機器であっても、主要な部品の多くが共通であるものが多い。しかしながら、前記端子の個数が異なるものの場合、前記端子が貫通する前記端子孔の個数も異なるため、前記端子孔の個数が異なる筐体を用意しなくてはならない。この場合、異なる筐体ごとに金型を製作しなくてはならず、無駄が多く、また、製造コストも高くなる。
【０００４】
そこで、予め円形の凹孔を上下左右に並べて形成しておき、搭載される前記端子の数及び位置の部分のみを貫通させて、それ以外の部分は前記ラベルを貼ることで隠してしまう方法がとられている。これにより、前記筐体を共通化することができ、それだけ、製造コストを低減することが可能である。しかしながら、前記ラベルを貼り付ける場合、前記凹孔が形成されていない部分と前記ラベルとが張り付くものである。すなわち、前記ラベルの前記凹孔と重なる部分は背面に支持するものがない状態であり、その部分がへこんでしまう。
【０００５】
そこで、前記ラベルの背面が落ち込むのを防ぐために、前記凹孔に十字状のリブを一方向に並べて形成するものが利用されている。前記十字状のリブに前記ラベルが張り付くので、前記ラベルが接着されない領域を減らすことができ、前記凹孔に落ち込むのを抑制するとともに、接着面積を増やすことで、強固に接着することができる（特開２００２−３７４０７３号公報参照）。
【０００６】
【特許文献１】特開２００２−３７４０７３号公報
【発明の開示】
【発明が解決しようとする課題】
【０００７】
しかしながら、十字状のリブを一方向に並べて配置したものの場合、隣接する凹孔の前記リブが形成されていない空間部が近接してしまい、前記ラベルが張り付く面が小さくなり、接着力が弱くなってしまうことがある。また、ラベルの角部や端部でも接着面が小さくなる部分があり、この部分では前記ラベルがめくれやすくなる。
【０００８】
そこで本発明は、端子が露出する部分のラベルを強固に貼付することができるラベル取付構造及びこれを用いたＴＶ受像機を提供することを目的とする。
【０００９】
また本発明は、端子の数が異なる場合であっても、共通の筐体を用いることができるラベル取付構造及びこれを用いたＴＶ受像機を提供することを目的とする。
【課題を解決するための手段】
【００１０】
上記目的を達成するために本発明は、筐体に形成され、前記筐体の内部に備えられた端子が露出された断面円形状の露出孔と、前記筐体の外部に形成され、前記露出孔と同じ内径を有する有底の凹孔と、前記露出孔をよけるとともに、前記凹孔を隠すように前記筐体外面に接着されるラベルとを有し、前記露出孔及び前記凹孔が上下左右に隣り合う前記露出孔又は前記凹孔と等距離をなすように配列されたラベル取付構造であって、前記凹孔は底面より突出されるとともに前記凹孔の内周壁と連結された２本の直方体が凹孔の中心で直交する形状を有し、上面が前記ラベルが貼り付けられる面と同一面が形成され、交差リブを有し、前記凹孔同士が隣り合うように形成されている場合、前記上下左右又は斜めに隣り合う交差リブの立体が一直線上に配置されないように形成されていることを特徴とする。
【００１１】
この構成によると、端子の個数や種類が変化した場合であっても、前記端子が露出する露出孔の個数を調整することができるので、共通の筐体を用いることができる。前記筐体を共通化することで、設計にかかるコストを低減することができるとともに、成型用の金型をモデルごとに形成しなくてもよく、それだけ、コストを低減することができる。
【００１２】
また、凹孔が隣り合う部分であっても、リブが形成されていない部分が隣り合わせになるのを抑制することができるので、ラベルの接着領域を広げることができ、前記ラベルの接着強度を上げることができる。
【００１３】
上記構成において、前記交差リブは上下左右方向に伸びる直方体が前記凹孔の中心で直交する十字状リブと、斜め方向に伸びる直方体が前記凹孔の中心で直交するＸ字状リブとを有しており、前記十字状リブ及び前記Ｘ字状リブが形成された凹孔が交互に配置されているものであってもよい。また、前記露出孔及び前記凹孔の配列のうち、角部に配置された前記凹孔がある場合、前記角部に配置された前記凹孔は、前記Ｘ字状リブを備えているものを挙げることができる。
【００１４】
上記構成において、前記露出孔及び前記凹孔の配列が、前記凹孔が偶数個並んで配置されている場合、中央部の２個の凹孔は、十字状リブとＸ字状リブの間の形状になるように回転されたクロス形状を有する交差リブを備えているものであってもよい。
【００１５】
上記構成のラベル取付構造を備えた機器として、薄型モニタ装置を挙げることができる。なお、薄型モニタ装置は、液晶表示装置、プラズマ表示装置等の画像形成部の厚さが薄いモニタ装置である。
【発明の効果】
【００１６】
本発明によると、端子が露出する部分のラベルを強固に貼付することができるラベル取付構造及びこれを用いた薄型モニタ装置を提供することができる。
【００１７】
また本発明によると、端子の数が異なる場合であっても、共通の筐体を用いることができるラベル取付構造及びこれを用いた薄型モニタ装置を提供することができる。
【発明を実施するための最良の形態】
【００１８】
以下に本発明の実施形態を図面を参照して説明する。図１は本発明にかかるラベル取付構造を備えた映像機器の一例である液晶表示装置の正面側から見た斜視図であり、図２は図１に示す液晶表示装置の背面側から見た斜視図である。図１及び図２に示すように、液晶表示装置Ａには、少なくとも、モニタ本体１と、スタンド２とが備えられている。図１に示すようにモニタ本体１はスタンド２にて正立した状態で支持されている。なお、以下の説明においては、別途示さない場合、液晶表示装置Ａの方向（左右方向、上下方向）は正立状態及び背面側から正面側に向かった状態を基準として説明を行うこととする。
【００１９】
モニタ本体１は、フロントキャビネット１１と、リヤキャビネット１２と、液晶モジュール１３とを備えている。フロントキャビネット１１は、モニタ本体１の正面側の外装部材であり、矩形状の枠体である。フロントキャビネット１１はそれには限定されないが、ここでは樹脂の一体成型で製造される部材である。フロントキャビネット１１には、正面側に矩形状の貫通孔である窓部１１０が形成されている。
【００２０】
リヤキャビネット１２はモニタ本体１の背面側の外装部材であり、フロントキャビネット１１の背面側に嵌合される。リヤキャビネット１２もフロントキャビネット１１と同様、樹脂の一体成型にて製造されるものである。フロンとキャビネット１１とリヤキャビネット１２とで囲まれる空間の内部に、液晶モジュール１３が配置されている。液晶モジュール１３は外部からの信号を受けて、表示部に映像を表示するものである。液晶モジュール１３は正面側の有効ディスプレイ領域１３０がフロントキャビネット１１の窓部１１０より露出するように、フロントキャビネット１１とリヤキャビネット１２の間の空間に配置されている。
【００２１】
図３は図２に示す液晶表示装置のリヤキャビネットをはずした状態の背面図である。図３に示すように、フロントキャビネット１１の背面側に液晶モジュール１３が取り付けられている。液晶モジュール１３は金属板を切り曲げてバスタブ状に形成されたリヤフレーム１３０の内部にバックライト、液晶セル等の光学装置（いずれも不図示）が配置されている。また、リヤフレーム１３１の背面には、液晶モジュール１３の動作を制御するためのメイン基板１３２と、たとえばＤＶＤやＶＣＲといった外部の映像機器と接続するための端子ユニット３とが取り付けられている。
【００２２】
端子ユニット３は基板３１と、基板３１に実装された端子３２とを有している。端子３２としては、例えば、コンポジット入力端子、コンポジット出力端子、Ｓ−入力端子、Ｓ−出力端子、音声入力端子、音声出力端子、コンポーネント出力端子等を挙げることが可能である。また、これら以外の入出力端子を備えている場合もある。
【００２３】
図２に示すように、リヤキャビネット１２には、端子ユニット３と重なる位置に端子接続部３３が形成されている。図４は図２に示す液晶表示装置の端子接続部の拡大背面図であり、図５は図４に示す液晶表示装置の端子接続部のラベルを取り除いた状態の拡大背面図である。図４に示すように、端子接続部３３には、端子３２の先端が外部に露出される露出孔３３１と、露出孔３３１より露出している端子３２について表示するためのラベル３３０とが備えられている。
【００２４】
ラベル３３０は、露出孔３３１より露出しているものがどの端子であるか示すものである。ラベル３３０はそれには限定されないが、ここでは、薄板状の部材であり、接着により端子接続部３３の表面側に貼付されている。端子の種類は上述したとおりである。
【００２５】
図５に示すように、端子接続部３３には、ラベル３３０にて隠される部分に形成された凹孔３３２が備えられている。凹孔３３２は露出孔３３１の内径と同じ内径を有した有底円筒形状を有している。図５に示すように、端子接続部３３のラベル３３０が覆うことのできる領域には、露出孔３３１又は凹孔３３２が形成されている。凹孔３３２を貫通させることで露出孔３３１が形成されるものである。
【００２６】
図５に示すように、端子３２が貫通される部分には露出孔３３１が、ラベル３３０にて隠される部分には凹孔３３２が形成されており、露出孔３３１と凹孔３３２とは、上下左右と隣り合う露出孔３３１又は凹孔３３２と等間隔をなすように配置されている。
【００２７】
凹孔３３２には底面より突出された交差リブ３３３が形成されている。交差リブ３３３は互いの中央で交差する十字状或いはＸ字状の形状を有している。交差リブ３３３の上面は端子接続部３３と同じ高さになるように形成されている。十字状のリブ３３３１は露出孔３３１及び凹孔３３２の並び方向（図中上下方向）と平行にのびる面が直角に交差する形状を有するものである。また、Ｘ字状のリブ３３３２は露出孔３３１及び凹孔３３２の並び方向に対して４５°傾いた方向（図中斜め方向）に延びる面が直角に交差する形状を有するものである。
【００２８】
図５に示すように、凹孔３３２が隣り合って形成されている部分では、十字状のリブ３３３１とＸ字状のリブ３３３２とが隣り合うように配置されている。還元すると、十字状のリブ３３３１同士、又は、Ｘ字状のリブ３３３２同士が隣り合うことがないように配置されている。
【００２９】
ここで、十字状のリブ３３３１が固まって配置された場合、斜めに隣り合う凹孔３３２が、リブ３３３が形成されていない部分で隣り合うので、接着エリアが小さくなり、接着力が弱くなる場合がある。同様に、Ｘ字状のリブ３３３２が固まって配置された場合、上下左右に隣り合う凹孔３３２が、リブ３３３が形成されていない部分で隣り合うので、接着エリアが隣り合う凹孔３３２の間の部分のみになるので、接着力が弱くなる場合がある。
【００３０】
しかしながら、十字状のリブ３３３１とＸ字状のリブ３３３２を交互に配置することで、上下左右又は斜めに隣り合う凹孔３３２のいずれか一方が他方の凹孔３３２に向けてのびるリブ３３３が形成されているので、接着エリアを大きく、また、バランスよく分布させることができるので、ラベル３３０を安定的に接着させることができる。
【００３１】
なお、ラベル３３０の角部に最も近い部分が凹孔３３２で形成されている場合、角部の凹孔３３２には、Ｘ字状のリブ３３３２が形成されていることが好ましい。ラベル３３０の角部は接着エリアが狭くなりやすいので、Ｘ字状のリブ３３３２が形成されていることで、ラベル３３０の角部の接着強度を上げることができる。
【００３２】
図６に本発明にかかる液晶表示装置の端子接続部のラベルを取り除いた状態の拡大背面図である。図６に示す端子接続部３３では、角部にＸ字状のリブ３３３２を配置した場合、中央の隣り合う凹孔３３２のリブの形状が同じ形状になるものである。たとえば、隣り合う角部の間に凹孔３３２が偶数個（図６では４個）形成されているものの場合、中央部の隣り合う凹部３３２に形成されるリブ３３３は互いに十字状のリブ３３１になる。このように、同じ形状のリブが形成されるものの場合、交差リブ３３３を交差部を中心に回転させて形成された、中間交差リブ３３３３が形成されている。この中間交差リブ３３３３を形成することですることで、交差リブリブ３３３が形成されていない部分で隣り合うのを抑制することが可能である。
【００３３】
以上、発明の実施形態を具体的に説明したが、本発明は上記実施形態に限定するものではなく、その要旨を逸脱しない範囲で種々変更可能である。
【産業上の利用可能性】
【００３４】
本発明は、液晶表示装置やプラズマディスプレイ装置等の薄型表示装置に適用可能である。
【図面の簡単な説明】
【００３５】
【図１】本発明にかかるラベル取付構造を備えた映像機器の一例である液晶表示装置の正面側から見た斜視図である。
【図２】図１に示す液晶表示装置の背面側から見た斜視図である。
【図３】図２に示す液晶表示装置のリヤキャビネットをはずした状態の背面図である。
【図４】図２に示す液晶表示装置の端子接続部の拡大背面図である。
【図５】図４に示す液晶表示装置の端子接続部のラベルを取り除いた状態の拡大背面図である。
【図６】本発明にかかる液晶表示装置の端子接続部のラベルを取り除いた状態の拡大背面図である。
【符号の説明】
【００３６】
１  モニタ本体
１１  フロントキャビネット
１２  リヤキャビネット
１３  液晶モジュール
２  スタンド
３  端子ユニット
３１  基板
３２  端子
３３  端子接続部
３３０  ラベル
３３１  露出孔
３３２  凹孔
３３３  リブ
【図１】
0004450041.tif 000002
【図２】
0004450041.tif 000003
【図３】
0004450041.tif 000004
【図４】
0004450041.tif 000005
【図５】
0004450041.tif 000006
【図６】
0004450041.tif 000007